(57)【要約】【課題】  ＰＣからＨＤＤレコーダに曲データを転送し終えるまでの時間を短縮でき、かつ、ＨＤＤレコーダが再生不可能なコンテンツ形式でＰＣに記録されている曲データについてもＨＤＤレコーダで再生する。【解決手段】  ＨＤＤレコーダが再生可能である曲データ及び再生不可能である曲データが、ＰＣからＨＤＤレコーダに、ＨＤＤレコーダが再生可能なコンテンツ形式への変換処理が実行されずに、転送されて記録される。再生すべき曲データとしてＨＤＤレコーダが再生不可能な曲データが選択されると、ＰＣからＨＤＤレコーダに、ストリーム形式かつＨＤＤレコーダが再生可能なコンテンツ形式で曲データが送信される。【選択図】図６
2009301615.tif 000002
【特許請求の範囲】
【請求項１】
第１コンテンツ記録再生装置と、前記第１コンテンツ記録再生装置に接続可能な第２コンテンツ記録再生装置とを備え、
前記第２コンテンツ記録再生装置が、
複数のコンテンツを記録するための第２コンテンツ記憶部と、
前記第２コンテンツ記録再生装置が再生可能なコンテンツ形式であるか否かに関係なく、前記第２コンテンツ記録再生装置が再生可能なコンテンツ形式への変換処理が実行されることなく、前記第１コンテンツ記録再生装置が記録するコンテンツを取得し、前記第２コンテンツ記憶部に記録する記録手段と、
前記第２コンテンツ記憶部に記録されているコンテンツのコンテンツ形式が、前記第２コンテンツ記録再生装置が再生可能なコンテンツ形式であるか否かを管理する再生可否管理手段と、
ユーザ操作に応じて、再生すべきコンテンツを選択する選択手段と、
前記選択手段によって選択されたコンテンツのコンテンツ形式が、前記第２コンテンツ記録再生装置が再生可能なコンテンツ形式であるか否かを前記再生可否管理手段の管理内容に基づいて判断する再生可否判断手段と、
前記選択手段によって選択されたコンテンツのコンテンツ形式が、前記第２コンテンツ記録再生装置が再生可能なコンテンツ形式でないと判断された場合、選択されたコンテンツをストリーム形式で送信するように前記第１コンテンツ記録再生装置に要求するストリーム要求手段と、
前記第２コンテンツ記録再生装置から、選択されたコンテンツをストリーム形式で受信して再生する再生手段とを有し、
前記第１コンテンツ記録再生装置が、複数のコンテンツを記録するための第１コンテンツ記憶部と、
前記第１コンテンツ記憶部に記録されているコンテンツを、前記第２コンテンツ記録再生装置が再生可能なコンテンツ形式への変換処理を実行せずに、前記第２コンテンツ記録再生装置に転送するコンテンツ転送手段と、
前記ストリーム要求手段からの要求に応じて、前記選択されたコンテンツを前記第２コンテンツ記録再生装置が再生可能なコンテンツ形式でありかつストリーム形式のコンテンツにデコードして、前記第２コンテンツ記録再生装置に送信するストリーム送信手段とを有する、コンテンツ記録再生システム。
【請求項２】
前記第２コンテンツ記録再生装置が、前記選択手段によって選択されたコンテンツのコンテンツ形式が、前記第２コンテンツ記録再生装置が再生可能なコンテンツ形式でないと判断された場合、選択されたコンテンツをダウンロード形式で送信するように前記第１コンテンツ記録再生装置に要求するダウンロード要求手段をさらに有し、
前記第１コンテンツ記録再生装置が、前記ダウンロード要求手段からの要求に応じて、選択されたコンテンツを前記第２コンテンツ記録再生装置が再生可能なコンテンツ形式でありかつダウンロード形式のコンテンツに変換して、前記第２コンテンツ記録再生装置に送信するダウンロード送信手段をさらに有し、
前記記録手段が、前記第１コンテンツ記録再生装置から、選択されたコンテンツをダウンロード形式で受信して前記第２コンテンツ記憶部に記録し、
前記再生可否管理手段が、ダウンロード形式で受信して前記第２コンテンツ記憶部に記録されたコンテンツが前記第２コンテンツ記録再生装置によって再生可能である旨を示すように管理内容を更新する、請求項１に記載のコンテンツ記録再生システム。
【請求項３】
前記第２コンテンツ記録再生装置が、前記選択手段によって選択されたコンテンツのコンテンツ形式が、前記第２コンテンツ記録再生装置が再生可能なコンテンツ形式でないと判断された場合、選択されたコンテンツが前記第１コンテンツ記憶部に記録されているか否かを前記第１コンテンツ記録再生装置に問い合わせる問合せ手段をさらに有し、
前記第１コンテンツ記録再生装置が、前記問い合わせに応じて、選択されたコンテンツが前記第１コンテンツ記憶部に記録されているか否かの回答を前記第２コンテンツ記録再生装置に送信する回答手段をさらに有し、
前記第２コンテンツ記録再生装置が、前記回答が選択されたコンテンツが前記第１コンテンツ記憶部に記録されていない旨である場合に、選択されたコンテンツを前記第２コンテンツ記憶部から読み出して、前記第１コンテンツ記録再生装置に転送する第２コンテンツ転送手段をさらに有し、
前記ストリーム送信手段が、前記第２コンテンツ記録再生装置から選択されたコンテンツを受信した場合、前記受信したコンテンツを前記第２コンテンツ記録再生装置が再生可能なコンテンツ形式でありかつストリーム形式のコンテンツに変換して、前記第２コンテンツ記録再生装置に送信する、請求項１または２に記載のコンテンツ記録再生システム。
【請求項４】
第１コンテンツ記録再生装置と、前記第１コンテンツ記録再生装置に接続可能な第２コンテンツ記録再生装置とを備え、
前記第２コンテンツ記録再生装置が、
複数のコンテンツを記録するための第２コンテンツ記憶部と、
前記第１コンテンツ記録再生装置が記録するコンテンツに関するコンテンツリストを受信するリスト受信手段と、
前記第１コンテンツ記録再生装置が記録するコンテンツの中で、前記第２コンテンツ記録再生装置が再生可能なコンテンツ形式であるコンテンツのみを取得し、前記第２コンテンツ記憶部に記録する記録手段と、
受信したコンテンツリストに含まれるコンテンツに関して、前記第２コンテンツ記憶部に記録されているか否かを管理する記録有無管理手段と、
ユーザ操作に応じて、前記コンテンツリストの中から、再生すべきコンテンツを選択する選択手段と、
前記選択手段によって選択されたコンテンツが前記第２コンテンツ記憶部に記録されているか否かを前記記録有無管理手段の管理内容に基づいて判断する記録有無判断手段と、
前記選択手段によって選択されたコンテンツが前記第２コンテンツ記憶部に記録されていないと判断された場合、選択されたコンテンツをストリーム形式で送信するように前記第１コンテンツ記録再生装置に要求するストリーム要求手段と、
前記第２コンテンツ記録再生装置から、選択されたコンテンツをストリーム形式で受信して再生する再生手段とを有し、
前記第１コンテンツ記録再生装置が、複数のコンテンツを記録可能な第１コンテンツ記憶部と、
前記第１コンテンツ記録再生装置が記録するコンテンツに関するコンテンツリストを送信するリスト送信手段と、
前記第１コンテンツ記録再生装置が記録するコンテンツの中で、前記第２コンテンツ記録再生装置が再生可能なコンテンツ形式であるコンテンツのみを前記第２コンテンツ記録再生装置に転送するコンテンツ転送手段と、
前記ストリーム要求手段からの要求に応じて、前記選択されたコンテンツを前記第２コンテンツ記録再生装置が再生可能なコンテンツ形式でありかつストリーム形式のコンテンツにデコードして、前記第２コンテンツ記録再生装置に送信するストリーム送信手段とを有する、コンテンツ記録再生システム。
【請求項５】
前記第２コンテンツ記録再生装置が、前記選択手段によって選択されたコンテンツが前記第２コンテンツ記憶部に記録されていないと判断された場合、選択されたコンテンツをダウンロード形式で送信するように前記第１コンテンツ記録再生装置に要求するダウンロード要求手段をさらに有し、
前記第１コンテンツ記録再生装置が、前記ダウンロード要求手段からの要求に応じて、選択されたコンテンツを前記第２コンテンツ記録再生装置が再生可能なコンテンツ形式でありかつダウンロード形式のコンテンツに変換して、前記第２コンテンツ記録再生装置に送信するダウンロード送信手段をさらに有し、
前記記録手段が、前記第１コンテンツ記録再生装置から、選択されたコンテンツをダウンロード形式で受信して前記第２コンテンツ記憶部に記録し、
前記記録有無管理手段が、ダウンロード形式で受信して前記第２コンテンツ記憶部に記録されたコンテンツが前記第２コンテンツ記憶部に記録されている旨を示すように管理内容を更新する、請求項４に記載のコンテンツ記録再生システム。
【請求項６】
請求項１〜３のいずれかに記載のコンテンツ記録再生システムに使用される前記第２コンテンツ記録再生装置であって、
複数のコンテンツを記録するための第２コンテンツ記憶部と、
前記第２コンテンツ記録再生装置が再生可能なコンテンツ形式であるか否かに関係なく、前記第２コンテンツ記録再生装置が再生可能なコンテンツ形式への変換処理が実行されることなく、前記第１コンテンツ記録再生装置が記録するコンテンツを取得し、前記第２コンテンツ記憶部に記録する記録手段と、
前記第２コンテンツ記憶部に記録されているコンテンツのコンテンツ形式が、前記第２コンテンツ記録再生装置が再生可能なコンテンツ形式であるか否かを管理する再生可否管理手段と、
ユーザ操作に応じて、再生すべきコンテンツを選択する選択手段と、
前記選択手段によって選択されたコンテンツのコンテンツ形式が、前記第２コンテンツ記録再生装置が再生可能なコンテンツ形式であるか否かを前記再生可否管理手段の管理内容に基づいて判断する再生可否判断手段と、
前記選択手段によって選択されたコンテンツのコンテンツ形式が、前記第２コンテンツ記録再生装置が再生可能なコンテンツ形式でないと判断された場合、選択されたコンテンツをストリーム形式で送信するように前記第１コンテンツ記録再生装置に要求するストリーム要求手段と、
前記第２コンテンツ記録再生装置から、選択されたコンテンツをストリーム形式で受信して再生する再生手段とを備える、第２コンテンツ記録再生装置。
【請求項７】
請求項４または５に記載のコンテンツ記録再生システムに使用される前記第２コンテンツ記録再生装置であって、
複数のコンテンツを記録するための第２コンテンツ記憶部と、
前記第１コンテンツ記録再生装置が記録するコンテンツに関するコンテンツリストを受信するリスト受信手段と、
前記第１コンテンツ記録再生装置が記録するコンテンツの中で、前記第２コンテンツ記録再生装置が再生可能なコンテンツ形式であるコンテンツのみを取得し、前記第２コンテンツ記憶部に記録する記録手段と、
受信したコンテンツリストに含まれるコンテンツに関して、前記第２コンテンツ記憶部に記録されているか否かを管理する記録有無管理手段と、
ユーザ操作に応じて、前記コンテンツリストの中から、再生すべきコンテンツを選択する選択手段と、
前記選択手段によって選択されたコンテンツが前記第２コンテンツ記憶部に記録されているか否かを前記記録有無管理手段の管理内容に基づいて判断する記録有無判断手段と、
前記選択手段によって選択されたコンテンツが前記第２コンテンツ記憶部に記録されていないと判断された場合、選択されたコンテンツをストリーム形式で送信するように前記第１コンテンツ記録再生装置に要求するストリーム要求手段と、
前記第２コンテンツ記録再生装置から、選択されたコンテンツをストリーム形式で受信して再生する再生手段とを備える、第２コンテンツ記録再生装置。
【請求項８】
請求項６または７に記載の第２コンテンツ記録再生装置における各手段をコンピュータに実行させる、第２コンテンツ記録再生装置の動作プログラム。
【請求項９】
請求項１〜３のいずれかに記載のコンテンツ記録再生システムに使用される第１コンテンツ記録再生装置であって、
複数のコンテンツを記録可能な第１コンテンツ記憶部と、
前記第１コンテンツ記憶部に記録されているコンテンツを、前記第２コンテンツ記録再生装置が再生可能なコンテンツ形式への変換処理を実行せずに、前記第２コンテンツ記録再生装置に転送するコンテンツ転送手段と、
前記ストリーム要求手段からの要求に応じて、前記選択されたコンテンツを前記第２コンテンツ記録再生装置が再生可能なコンテンツ形式でありかつストリーム形式のコンテンツにデコードして、前記第２コンテンツ記録再生装置に送信するストリーム送信手段とを備える、第１コンテンツ記録再生装置。
【請求項１０】
請求項４または５に記載のコンテンツ記録再生システムに使用される第１コンテンツ記録再生装置であって、
複数のコンテンツを記録可能な第１コンテンツ記憶部と、
前記第１コンテンツ記録再生装置が記録するコンテンツに関するコンテンツリストを送信するリスト送信手段と、
前記第１コンテンツ記録再生装置が記録するコンテンツの中で、前記第２コンテンツ記録再生装置が再生可能なコンテンツ形式であるコンテンツのみを前記第２コンテンツ記録再生装置に転送するコンテンツ転送手段と、
前記ストリーム要求手段からの要求に応じて、前記選択されたコンテンツを前記第２コンテンツ記録再生装置が再生可能なコンテンツ形式でありかつストリーム形式のコンテンツにデコードして、前記第２コンテンツ記録再生装置に送信するストリーム送信手段とを備える、第１コンテンツ記録再生装置。
【請求項１１】
請求項９または１０に記載の第１コンテンツ記録再生装置における各手段をコンピュータに実行させる、第１コンテンツ記録再生装置の動作プログラム。
【発明の詳細な説明】
【技術分野】
【０００１】
本発明は、第１コンテンツ記録再生装置から第２コンテンツ記録再生装置に、コンテンツを転送して記録するコンテンツ記録再生システムに関する。
【背景技術】
【０００２】
ＰＣ（パーソナルコンピュータ）にＣＤから読み出された曲データを記録して、ＰＣに記録された曲データを再生することや、ＨＤＤ（Hard Disk Drive）を備えるオーディオ機器であるＨＤＤレコーダにＣＤから読み出された曲データを記録して、ＨＤＤに記録された曲データを再生することが行われている。最近のＰＣは、処理能力の高いＣＰＵを備えているので、ＣＤの曲データを高速で記録することができる。そこで、ＰＣに記録されている曲データを、例えば、ネットワーク経由でＨＤＤレコーダに転送することによって、ＨＤＤレコーダに簡単かつ迅速に曲データを記録することができる。しかし、ＰＣには多数のコンテンツ形式（コンテンツ形式は、ＭＰ３，ＷＭＡ等のフォーマット、及び、１２８ｋｂｐｓ，２５６ｋｂｐｓ等のビットレートを含む）の曲データを再生することができるが、ＨＤＤレコーダはあまり多くのコンテンツ形式の曲データを再生できないのが一般的である。例えば、ＰＣは、Ａ，Ｂ，Ｃ，Ｄ，Ｅ，Ｆのコンテンツ形式の曲データを再生することができ、ＨＤＤレコーダはＡ，Ｂのコンテンツ形式しか曲データを再生できないとする。この場合、コンテンツ形式がＣ，Ｄ，Ｅ，Ｆの曲データをＨＤＤレコーダに転送して記録する場合、ＰＣが曲データをＨＤＤレコーダで再生可能なコンテンツ形式Ａ又はＢに変換処理を実行する必要がある。従って、変換処理に多くの時間を要し、ＨＤＤレコーダに全ての曲データを記録完了して再生開始するまでに時間がかかるという問題がある。
【０００３】
【特許文献１】特開２００６−１１７５７
【発明の開示】
【発明が解決しようとする課題】
【０００４】
本発明は上記従来の課題を解決するためになされたものであり、その目的は、第１コンテンツ記録再生装置から第２コンテンツ記録再生装置にコンテンツを転送し終えるまでの時間を短縮でき、かつ、第２コンテンツ記録再生装置が再生不可能なコンテンツ形式で第１コンテンツ記録再生装置に記録されているコンテンツについても第２コンテンツ記録再生装置で再生できるコンテンツ記録再生システムを提供することである。
【課題を解決するための手段】
【０００５】
本発明の好ましい実施形態によるコンテンツ記録再生システムは、第１コンテンツ記録再生装置と、前記第１コンテンツ記録再生装置に接続可能な第２コンテンツ記録再生装置とを備える。前記第２コンテンツ記録再生装置が、複数のコンテンツを記録するための第２コンテンツ記憶部と、前記第２コンテンツ記録再生装置が再生可能なコンテンツ形式であるか否かに関係なく、前記第２コンテンツ記録再生装置が再生可能なコンテンツ形式への変換処理が実行されることなく、前記第１コンテンツ記録再生装置が記録するコンテンツを取得し、前記第２コンテンツ記憶部に記録する記録手段と、前記第２コンテンツ記憶部に記録されているコンテンツのコンテンツ形式が、前記第２コンテンツ記録再生装置が再生可能なコンテンツ形式であるか否かを管理する再生可否管理手段と、ユーザ操作に応じて、再生すべきコンテンツを選択する選択手段と、前記選択手段によって選択されたコンテンツのコンテンツ形式が、前記第２コンテンツ記録再生装置が再生可能なコンテンツ形式であるか否かを前記再生可否管理手段の管理内容に基づいて判断する再生可否判断手段と、前記選択手段によって選択されたコンテンツのコンテンツ形式が、前記第２コンテンツ記録再生装置が再生可能なコンテンツ形式でないと判断された場合、選択されたコンテンツをストリーム形式で送信するように前記第１コンテンツ記録再生装置に要求するストリーム要求手段と、前記第２コンテンツ記録再生装置から、選択されたコンテンツをストリーム形式で受信して再生する再生手段とを有する。前記第１コンテンツ記録再生装置が、複数のコンテンツを記録するための第１コンテンツ記憶部と、前記第１コンテンツ記憶部に記録されているコンテンツを、前記第２コンテンツ記録再生装置が再生可能なコンテンツ形式への変換処理を実行せずに、前記第２コンテンツ記録再生装置に転送するコンテンツ転送手段と、前記ストリーム要求手段からの要求に応じて、前記選択されたコンテンツを前記第２コンテンツ記録再生装置が再生可能なコンテンツ形式でありかつストリーム形式のコンテンツにデコードして、前記第２コンテンツ記録再生装置に送信するストリーム送信手段とを有する。
【０００６】
第２コンテンツ記録再生装置が再生可能であるコンテンツ及び再生不可能であるコンテンツが、第１コンテンツ記録再生装置から第２コンテンツ記録再生装置に、第２コンテンツ記録再生装置が再生可能なコンテンツ形式への変換処理が実行されずに、転送されて記録される。従って、第１コンテンツ記録再生装置においてコンテンツ形式の変換処理が実行されないので、コンテンツを転送し終えるまでの時間を短縮できる。また、再生すべきコンテンツとして第２コンテンツ記録再生装置が再生不可能なコンテンツが選択されると、第１コンテンツ記録再生装置から第２コンテンツ記録再生装置に、ストリーム形式かつ第２コンテンツ記録再生装置が再生可能なコンテンツ形式でコンテンツが送信される。従って、第２コンテンツ記録再生装置が再生不可能なコンテンツが再生すべきコンテンツとして選択されても、第２コンテンツ記録再生装置はコンテンツを再生することができる。
【０００７】
好ましい実施形態においては、前記第２コンテンツ記録再生装置が、前記選択手段によって選択されたコンテンツのコンテンツ形式が、前記第２コンテンツ記録再生装置が再生可能なコンテンツ形式でないと判断された場合、選択されたコンテンツをダウンロード形式で送信するように前記第１コンテンツ記録再生装置に要求するダウンロード要求手段をさらに有し、前記第１コンテンツ記録再生装置が、前記ダウンロード要求手段からの要求に応じて、選択されたコンテンツを前記第２コンテンツ記録再生装置が再生可能なコンテンツ形式でありかつダウンロード形式のコンテンツに変換して、前記第２コンテンツ記録再生装置に送信するダウンロード送信手段をさらに有し、前記記録手段が、前記第１コンテンツ記録再生装置から、選択されたコンテンツをダウンロード形式で受信して前記第２コンテンツ記憶部に記録し、前記再生可否管理手段が、ダウンロード形式で受信して前記第２コンテンツ記憶部に記録されたコンテンツが前記第２コンテンツ記録再生装置によって再生可能である旨を示すように管理内容を更新する。
【０００８】
この場合、再生すべきコンテンツとして選択されたコンテンツを、第２コンテンツ記録再生装置が再生可能なコンテンツ形式で第２コンテンツ記憶部に記録することができる。従って、次回以降に、同じコンテンツが選択された場合には、第２記憶部から当該コンテンツを読み出して再生することができるので、再生処理が簡素化され、再生開始するまでの時間を短縮することができる。
【０００９】
好ましい実施形態においては、前記第２コンテンツ記録再生装置が、前記選択手段によって選択されたコンテンツのコンテンツ形式が、前記第２コンテンツ記録再生装置が再生可能なコンテンツ形式でないと判断された場合、選択されたコンテンツが前記第１コンテンツ記憶部に記録されているか否かを前記第１コンテンツ記録再生装置に問い合わせる問合せ手段をさらに有し、前記第１コンテンツ記録再生装置が、前記問い合わせに応じて、選択されたコンテンツが前記第１コンテンツ記憶部に記録されているか否かの回答を前記第２コンテンツ記録再生装置に送信する回答手段をさらに有し、前記第２コンテンツ記録再生装置が、前記回答が選択されたコンテンツが前記第１コンテンツ記憶部に記録されていない旨である場合に、選択されたコンテンツを前記第２コンテンツ記憶部から読み出して、前記第１コンテンツ記録再生装置に転送する第２コンテンツ転送手段をさらに有し、前記ストリーム送信手段が、前記第２コンテンツ記録再生装置から選択されたコンテンツを受信した場合、前記受信したコンテンツを前記第２コンテンツ記録再生装置が再生可能なコンテンツ形式でありかつストリーム形式のコンテンツに変換して、前記第２コンテンツ記録再生装置に送信する。
【００１０】
この場合、再生すべきコンテンツとして選択されたコンテンツが第１コンテンツ記録再生装置に記録されていない場合には、第２コンテンツ記録再生装置から当該コンテンツを第１コンテンツ記録再生装置に転送するので、第１コンテンツ記録再生装置は受信したコンテンツをストリーム形式かつ第２コンテンツ記録再生装置が再生可能なコンテンツ形式に変換し第２コンテンツ記録再生装置に返信する。従って、第２コンテンツ記録再生装置は受信したコンテンツを再生することができる。
【００１１】
本発明の別の好ましい実施形態によるコンテンツ記録再生システムは、第１コンテンツ記録再生装置と、前記第１コンテンツ記録再生装置に接続可能な第２コンテンツ記録再生装置とを備える。前記第２コンテンツ記録再生装置が、複数のコンテンツを記録するための第２コンテンツ記憶部と、前記第１コンテンツ記録再生装置が記録するコンテンツに関するコンテンツリストを受信するリスト受信手段と、前記第１コンテンツ記録再生装置が記録するコンテンツの中で、前記第２コンテンツ記録再生装置が再生可能なコンテンツ形式であるコンテンツのみを取得し、前記第２コンテンツ記憶部に記録する記録手段と、受信したコンテンツリストに含まれるコンテンツに関して、前記第２コンテンツ記憶部に記録されているか否かを管理する記録有無管理手段と、ユーザ操作に応じて、前記コンテンツリストの中から、再生すべきコンテンツを選択する選択手段と、前記選択手段によって選択されたコンテンツが前記第２コンテンツ記憶部に記録されているか否かを前記記録有無管理手段の管理内容に基づいて判断する記録有無判断手段と、前記選択手段によって選択されたコンテンツが前記第２コンテンツ記憶部に記録されていないと判断された場合、選択されたコンテンツをストリーム形式で送信するように前記第１コンテンツ記録再生装置に要求するストリーム要求手段と、前記第２コンテンツ記録再生装置から、選択されたコンテンツをストリーム形式で受信して再生する再生手段とを有する。前記第１コンテンツ記録再生装置が、複数のコンテンツを記録可能な第１コンテンツ記憶部と、前記第１コンテンツ記録再生装置が記録するコンテンツに関するコンテンツリストを送信するリスト送信手段と、前記第１コンテンツ記録再生装置が記録するコンテンツの中で、前記第２コンテンツ記録再生装置が再生可能なコンテンツ形式であるコンテンツのみを前記第２コンテンツ記録再生装置に転送するコンテンツ転送手段と、前記ストリーム要求手段からの要求に応じて、前記選択されたコンテンツを前記第２コンテンツ記録再生装置が再生可能なコンテンツ形式でありかつストリーム形式のコンテンツにデコードして、前記第２コンテンツ記録再生装置に送信するストリーム送信手段とを有する。
【００１２】
第２コンテンツ記録再生装置が再生可能であるコンテンツのみが、第１コンテンツ記録再生装置から第２コンテンツ記憶再生装置に転送されて記録される。従って、第１コンテンツ記録再生装置においてコンテンツ形式の変換処理が実行されないので、コンテンツを転送し終えるまでの時間を短縮できる。また、再生すべきコンテンツとして第２コンテンツ記憶部に記録されていないコンテンツが選択されると、第１コンテンツ記録再生装置から第２コンテンツ記録再生装置に、ストリーム形式かつ第２コンテンツ記録再生装置が再生可能なコンテンツ形式でコンテンツが送信される。従って、第２コンテンツ記憶部に記録されていないコンテンツが再生すべきコンテンツとして選択されても、第２コンテンツ記録再生装置はコンテンツを再生することができる。
【００１３】
好ましい実施形態においては、前記第２コンテンツ記録再生装置が、前記選択手段によって選択されたコンテンツが前記第２コンテンツ記憶部に記録されていないと判断された場合、選択されたコンテンツをダウンロード形式で送信するように前記第１コンテンツ記録再生装置に要求するダウンロード要求手段をさらに有し、前記第１コンテンツ記録再生装置が、前記ダウンロード要求手段からの要求に応じて、選択されたコンテンツを前記第２コンテンツ記録再生装置が再生可能なコンテンツ形式でありかつダウンロード形式のコンテンツに変換して、前記第２コンテンツ記録再生装置に送信するダウンロード送信手段をさらに有し、前記記録手段が、前記第１コンテンツ記録再生装置から、選択されたコンテンツをダウンロード形式で受信して前記第２コンテンツ記憶部に記録し、前記記録有無管理手段が、ダウンロード形式で受信して前記第２コンテンツ記憶部に記録されたコンテンツが前記第２コンテンツ記憶部に記録されている旨を示すように管理内容を更新する。
【００１４】
この場合、再生すべきコンテンツとして選択されたコンテンツを、第２コンテンツ記録再生装置が再生可能なコンテンツ形式で第２コンテンツ記憶部に記録することができる。従って、次回以降に、同じコンテンツが選択された場合には、第２記憶部から当該コンテンツを読み出して再生することができるので、再生処理が簡素化され、再生開始するまでの時間を短縮することができる。
【発明の効果】
【００１５】
第２コンテンツ記録再生装置が再生可能であるコンテンツ及び再生不可能であるコンテンツが、第１コンテンツ記録再生装置から第２コンテンツ記録再生装置に、第２コンテンツ記録再生装置が再生可能なコンテンツ形式への変換処理が実行されずに、転送されて記録される。従って、第１コンテンツ記録再生装置においてコンテンツ形式の変換処理が実行されないので、コンテンツを転送し終えるまでの時間を短縮できる。また、再生すべきコンテンツとして第２コンテンツ記録再生装置が再生不可能なコンテンツが選択されると、第１コンテンツ記録再生装置から第２コンテンツ記録再生装置に、ストリーム形式かつ第２コンテンツ記録再生装置が再生可能なコンテンツ形式でコンテンツが送信される。従って、第２コンテンツ記録再生装置が再生不可能なコンテンツが再生すべきコンテンツとして選択されても、第２コンテンツ記録再生装置はコンテンツを再生することができる。
【発明を実施するための最良の形態】
【００１６】
図１は、本発明の好ましい実施形態によるコンテンツ記録再生システムを示すブロック図である。コンテンツ記録再生システムは、第１コンテンツ記録再生装置１００と、第２コンテンツ記録再生装置２００とを備える。第１コンテンツ記録再生装置１００は、代表的には、ＰＣ（パーソナルコンピュータ）等が適用され得る（以下、ＰＣ１００という）。第２コンテンツ記録再生装置２００は、代表的には、ＨＤＤレコーダ等のオーディオ機器が適用され得る（以下、ＨＤＤレコーダ２００という）。ＰＣ１００とＨＤＤレコーダ２００とは、ＬＡＮ、インターネット等のネットワークや、ＵＳＢ、ＩＥＥＥ１３９４、ＨＤＭＩ等の任意のインターフェースを介して相互に接続可能である（本例ではＬＡＮを介して接続されている）。「コンテンツ」とは、映像データ、曲（音楽、音声）データ、静止画データ等の総称であり、本例においては曲データである。また、「コンテンツ形式」とは、コンテンツのフォーマットおよびビットレート等のコンテンツを記録する際の形式をいう。
【００１７】
［ＰＣ１００の構成］
ＰＣ１００は、ＣＰＵ等の制御部１１と、メモリ１２と、ハードディスクドライブ（ＨＤＤ）等の記憶部１３と、通信部１４と、光ディスクドライブ１５と、再生処理部１６と、表示部１８と、操作部１９とを備え、これらはバス等で相互に接続される。必要に応じて、ＰＣ１００は、再生処理部１６に接続された図示しないスピーカーをさらに備えてもよい。通信部１４は、例えばＬＡＮケーブルを介してＨＤＤレコーダ２００と接続されている。
【００１８】
光ディスクドライブ１５は、ＣＤ等の外部の記録媒体が挿入されたとき、挿入されたＣＤ内の複数の曲データを読み出す。ＨＤＤ１３は、光ディスクドライブ１５により読み出された複数の曲データを、制御部１１によって設定されたフォーマット、ビットレートに変換して記録する。また、通信部１４と接続された図示しない他のコンピュータ装置から送信された複数の曲を記録してもよい。ＰＣ１００は、図２に示すように、例えば、Ａ，Ｂ，Ｃ，Ｄ，Ｅ，Ｆ、Ｇの７つのコンテンツ形式で曲データを記録および再生することができる。なお、１つのコンテンツ形式は、例えば、ＭＰ３、１２８ｋｂｐｓのようにフォーマットとビットレートとの組合せで表される。
【００１９】
ＨＤＤ１３又はメモリ１２は、曲リストを記憶する。曲リストには、ＨＤＤ１３に記憶された曲データに関するコンテンツＩＤやコンテンツ情報（メタデータのことであり、例えば、曲名、アーティスト名、アルバム名等）、コンテンツ形式が含まれる。コンテンツＩＤは、曲データを識別するための識別情報であり、数字、アルファベット等の任意の文字列によって表される。コンテンツ情報は、例えば、通常の方法で、インターネット経由で外部のサーバから取得される。
【００２０】
制御部１１は、メモリ１２又はＨＤＤ１３に格納されているＰＣ１００の動作プログラムに基づいて、ＰＣ１００全体を制御する。制御部１１は、選択された曲データをＨＤＤレコーダ２００にダウンロード形式で送信するように各部を制御する。また、制御部１１は、選択された曲データをＨＤＤレコーダ２００にストリーミング形式で送信するように各部を制御する。
【００２１】
再生処理部１６は、ストリーム再生要求に応じて、曲データをストリーミング形式でＨＤＤレコーダ２００に送信する際に、ＨＤＤ１３に記録されている曲データをデコードし、ＨＤＤレコーダ２００が再生可能なコンテンツ形式（例えばＰＣＭ形式）に変換する。ＰＣＭ形式に変換された曲データは、通信部１４を介して、ＨＤＤレコーダ２００に送信される。
【００２２】
再生処理部１６は、ダウンロード送信要求に応じて、曲データをダウンロード形式でＨＤＤレコーダ２００に送信する際に、ＨＤＤ１３に記録されている曲データを、ＨＤＤレコーダ２００が再生可能なコンテンツ形式に変換する。変換された曲データは、通信部１４を介して、ＨＤＤレコーダ２００に送信される。
【００２３】
［ＨＤＤレコーダ２００の構成］
ＨＤＤレコーダ２００は、マイコン等の制御部２１と、メモリ２２と、ハードディスクドライブ（ＨＤＤ）等の記憶部２３と、通信部２４と、再生処理部２６と、表示部２８と、操作部２９とを備え、これらはバス等で相互に接続される。必要に応じて、ＨＤＤレコーダ２００は、光ディスクドライブ（図示せず）や、再生処理部２６に接続されたスピーカー（図示せず）をさらに備えてもよい。通信部２４は、例えばＬＡＮ経由でＰＣ１００と接続されている。
【００２４】
ＨＤＤ２３は、ＰＣ１００から転送される曲データを記録する。ＨＤＤレコーダ２００が再生可能なコンテンツ形式は、例えば、図２に示すように、コンテンツ形式Ａ，Ｂのみである。しかし、ＨＤＤ２３には、ＰＣ１００から転送されたコンテンツ形式Ｃ，Ｄ，Ｅ，Ｆ，Ｇの曲データについて記録することができる。従って、ＨＤＤ２３には、ＨＤＤレコーダ２００が再生可能か否かに関係なく、ＰＣ１００から転送された曲データが記録されている。再生できないコンテンツ形式の曲データをＨＤＤ２３に記録するのは、再生すべき曲データとして選択された曲データが、ＰＣ１００のＨＤＤ１３から既に削除されてしまっている場合に、ＨＤＤレコーダ２００からＰＣ１００に対して曲データを転送するためである。
【００２５】
ＨＤＤ２３又はメモリ２２には、曲リストが記憶されている。曲リストは、ＰＣ１００から受信したものであり、ＰＣ１００が記録する曲データの一覧を示す。曲リストは、上記の通り、コンテンツＩＤ、曲名、アーティスト名、アルバム名等のメタデータ、コンテンツ形式を含む。
【００２６】
ＨＤＤ２３又はメモリ２２には、図３に示す再生可否テーブルが管理されている。再生可否テーブルは、ＨＤＤ２３に記録されている曲データのコンテンツ形式が、ＨＤＤレコーダ２００が再生可能なコンテンツ形式であるか否かを示すテーブルである。再生可否テーブルは、コンテンツＩＤ「ＩＤ」に対応付けて、再生可能か否かを示す項目「Can」と、コンテンツ形式「Format」と、当該曲データが記録されていたＰＣ１００の所在に関する情報（例えばＵＲＬ）「url」とを含む。「Can」には、再生可能なコンテンツ形式の場合に「TRUE」が、再生不可能なコンテンツ形式の場合に「FALSE」が登録される。
【００２７】
ＨＤＤ２３又はメモリ２２には、図４に示す変換テーブルが記録されている。変換テーブルは、ダウンロード送信要求を送信する際に、ＨＤＤレコーダ２００が再生不可能なコンテンツ形式を、ＨＤＤレコーダ２００が再生可能などのコンテンツ形式に変換させるかを示すものである。変換テーブルには、変換前のコンテンツ形式としてＨＤＤレコーダ２００が再生不可能なコンテンツ形式が登録され、変換後のコンテンツ形式としてＨＤＤレコーダ２００が再生可能なコンテンツ形式が登録されている。図４の場合、コンテンツ形式Ｃ，Ｄ，Ｅはコンテンツ形式Ｂに変換し、コンテンツ形式Ｆ，Ｇはコンテンツ形式Ａに変換することを意味している。変換テーブルは、製造者によって予め登録されていてもよく、ユーザ操作によって変更されてもよい。
【００２８】
制御部２１は、メモリ２２又はＨＤＤ２３に格納されているＨＤＤレコーダ２００の動作プログラムに基づいて、ＨＤＤレコーダ２００全体を制御する。
【００２９】
再生処理部２６は、制御部２１によって選択された曲データを再生する（デジタル−アナログ変換、増幅処理などを含む）。スピーカーは、再生処理部２６から出力された音声信号を受け、音声として外部に出力する。表示部２８は、ユーザに曲データを選択させるために、曲リストを表示するものであり、ＬＣＤ（液晶ディスプレイ）やＦＬ管等である。操作部２９は、ユーザ操作を受け付けるものであり、操作ボタンやリモコン等である。
【００３０】
以下、本発明のコンテンツ記録再生システムの動作を、図５〜図７を参照して、説明する。まず、図５を参照し、ＰＣ１００の曲データをＨＤＤレコーダ２００に転送し、ＨＤＤレコーダ２００に記録する際の処理を説明する。ＨＤＤレコーダ２００の制御部２１は、ユーザ操作に応答して、ＰＣ１００に曲リスト要求コマンドを送信する（Ｓ１）。この時、アーティスト名やアルバム名等のメタデータによって制限された曲リストが要求されてよく、ＰＣ１００に記録されている全曲データに関する曲リストが要求されてもよい。
【００３１】
ＰＣ１００の制御部１１は、曲リスト要求コマンドを受信すると、曲リストをＨＤＤ１３から読み出し、又は、曲リストを生成し、ＨＤＤレコーダ２００に返信する（Ｓ１１）。曲リストには、曲データのコンテンツＩＤ、メタデータやコンテンツ形式等の情報を含む。ＨＤＤレコーダ２００は、曲リストをＰＣ１００から受信して、メモリ２２に記録する（Ｓ１）。
【００３２】
ＨＤＤレコーダ２００の制御部２３は、取得した曲リストを表示部２８に表示させる（Ｓ２）。このとき、曲リストにはコンテンツ形式を含んでいるので、コンテンツ形式がＨＤＤレコーダ２００が再生不可能なコンテンツ形式Ｃ，Ｄ，Ｅ，Ｆ，Ｇである曲データの各情報は例えばグレーアウト等、再生可能な曲データとは異なる態様で表示する（Ｓ３）。
【００３３】
ＨＤＤレコーダ２００の制御部２１は、曲データがＨＤＤレコーダ２００で再生可能であるか否かに関係なく、曲リスト内の全曲データをＨＤＤレコーダ２００に転送するようにＰＣ１００に曲データ転送要求を送信する（Ｓ４）。なお、このとき、ユーザ操作によって曲リスト内の曲データの中からＨＤＤレコーダ２００に転送して記録する曲データを選択するようにしてもよい。
【００３４】
ＰＣ１００は、曲データ転送要求を受信すると、指定された曲データをＨＤＤ１３から読み出して、ＨＤＤレコーダ２００が再生可能なコンテンツ形式への変換処理を実行することなく（つまり、ＨＤＤ１３に記録されているコンテンツ形式のままで）、ダウンロード形式でＨＤＤレコーダ２００に転送する（Ｓ１２）。ＨＤＤレコーダ２００が再生不可能なコンテンツ形式の曲データであっても、デコード処理や変換処理を実行せずにＨＤＤレコーダ２００に転送することによって、曲データをＨＤＤレコーダ２００に転送し終えるまでの時間を短縮することができる。
【００３５】
ＨＤＤレコーダ２００は、曲データをダウンロード形式でＰＣ１００から受信すると、受信した曲データを、ＨＤＤレコーダ２００が再生可能か否かに関係なくＨＤＤ２３に記録する（Ｓ５）。そして、ＨＤＤレコーダ２００の制御部２１は、図３に示す再生可否テーブルに、ＨＤＤ２３に記録した曲データに関する各情報を登録する。詳細には、制御部２１は、ＨＤＤ２３に記録した曲データのコンテンツＩＤとコンテンツ形式とを再生可否テーブルに登録し、コンテンツ形式がＨＤＤレコーダ２００で再生可能なＡ，Ｂで有る場合には「Can」に「TRUE」を登録し、コンテンツ形式がＨＤＤレコーダ２００で再生不可能なＣ，Ｄ，Ｅ，Ｆ，Ｇで有る場合には「Can」に「FALSE」を登録し、かつ、「url」にＰＣ１００のＵＲＬを登録する。図３では、代表例として、コンテンツＩＤがＡＡＡ〜ＦＦＦの６つの曲データのみを記載している。コンテンツＩＤがＦＦＦの曲データのみがＨＤＤレコーダ２００で再生可能なコンテンツ形式Ａであるので、項目「Can」に「True」が登録されている。その他の５つの曲データは全てＨＤＤレコーダ２００で再生不可能なコンテンツ形式であるので、項目「Can」に「FALSE」が登録されている。
【００３６】
以上のように、ＨＤＤレコーダ２００で再生不可能なコンテンツ形式の曲データであっても、ＰＣ１００において、ＨＤＤレコーダで再生可能なコンテンツ形式への変換処理を実行せずに、ＨＤＤレコーダ２００にそのまま転送するので、ＨＤＤレコーダ２００に曲データを転送して記録し終えるまでの時間を短縮することができる。従って、直ぐに、曲データの再生動作に移行することができる。
【００３７】
次に、ＨＤＤレコーダ２００において、曲データを再生する際の処理を図６，図７を参照して説明する。図６に示すように、ＨＤＤレコーダ２００の制御部２１は、表示部２８に曲リストを表示させ、再生すべき曲データをユーザに選択させる。ユーザ操作によって曲データが選択されると（Ｓ２１）、制御部２１は、選択された曲データのコンテンツ形式が、ＨＤＤレコーダ２００が再生可能なコンテンツ形式であるか否かを判断する（Ｓ２２）。詳細には、選択された曲データのコンテンツＩＤを特定し、再生可否テーブルを参照し、当該コンテンツＩＤに対応する項目「Can」が「TRUE」であるか否かを判断する。
【００３８】
例えば、図３においてコンテンツＩＤがＦＦＦである曲データが選択されたために、項目「Can」が「TRUE」であり、曲データを再生可能である場合には（Ｓ２２でＹＥＳ）、Ｓ３２に進み、ＨＤＤレコーダ２００は通常通りに、ＨＤＤ２３から曲データ「ＦＦＦ」を読み出して、再生する。
【００３９】
例えば、図３においてコンテンツＩＤがＡＡＡの曲データが選択されたために、項目「Can」が「FALSE」であり、再生不可能である場合には（Ｓ２２でＮＯ）、再生部２１は、選択された曲データがＰＣ１００に記録されているか否かの問い合わせをＰＣ１００に送信する（Ｓ２３）。この問い合わせには、例えば、曲データのコンテンツＩＤ「ＡＡＡ」が含まれている。なお、問い合わせを送信する（以降の処理も同様）ＰＣの宛先は、コンテンツＩＤに対応付けて再生可否テーブルに管理されている。
【００４０】
図７に示すように、ＰＣ１００の制御部１１は、ＨＤＤレコーダ２００から曲データが記録されているか否かの問い合わせを受信したかを判断しており（Ｓ４１）、問い合わせを受信したとき（Ｓ４１でＹＥＳ）、問い合わせに含まれるコンテンツＩＤ「ＡＡＡ」で特定される曲データがＨＤＤ１３に記録されているか否かを判断する（Ｓ４２）。曲データが記録されている場合には（Ｓ４２でＹＥＳ）、曲データ「ＡＡＡ」が記録されている旨の回答をＨＤＤレコーダ２００に送信する（Ｓ４３）。一方、曲データ「ＡＡＡ」が削除された等によりＨＤＤ１３に記録されていない場合には（Ｓ４２でＮＯ）、曲データが記録されていない旨の回答をＨＤＤレコーダ２００に送信し（Ｓ４４）、その後、ＨＤＤレコーダ２００から曲データ「ＡＡＡ」を受信するまで待機する（Ｓ４５）。
【００４１】
図６に示すように、ＨＤＤレコーダ２００の制御部２１は、ＰＣ１００から回答を受信すると、回答の結果に基づいて、選択された曲データ「ＡＡＡ」がＰＣ１００に記録されているか否かを判断する（Ｓ２４）。
【００４２】
選択された曲データ「ＡＡＡ」がＰＣ１００に記録されている場合（Ｓ２４でＹＥＳ）、制御部２１は、ＰＣ１００に曲データのストリーム送信要求を送信する。このストリーム送信要求には選択された曲データのコンテンツＩＤ「ＡＡＡ」が含まれている。
【００４３】
図７に示すように、ＰＣ１００の制御部１１は、ＨＤＤレコーダ２００からストリーム送信要求を受信したか否かを判断しており（Ｓ４６）、受信した場合（Ｓ４６でＹＥＳ）、ストリーム送信要求に含まれるコンテンツＩＤ「ＡＡＡ」で特定される曲データをストリーム形式でＨＤＤレコーダ２００に送信するように各部を制御する（Ｓ４７）。すなわち、再生制御部１６は、ＨＤＤ１３からコンテンツＩＤ「ＡＡＡ」の曲データを読み出し、デコードし、ＨＤＤレコーダ２００が再生不可能なコンテンツ形式Ｃから、ＨＤＤレコーダ２００が再生可能な例えばＰＣＭ形式に変換し、通信部１４を介してＨＤＤレコーダ２００にストリーム形式で送信する。ＰＣＭ形式に変換するのは、ＰＣＭ形式が一般的なＨＤＤレコーダにおいて再生可能だからである。なお、ＰＣＭ形式ではなく、ＨＤＤレコーダ２００で再生可能なコンテンツ形式Ａ又はＢに変換して、ＨＤＤレコーダ２００に送信してもよい。
【００４４】
図６に示すように、ＨＤＤレコーダ２００の制御部２１は、コンテンツＩＤ「ＡＡＡ」の曲データをＰＣ１００から受信すると、再生制御部２６に受信した曲データを再生させる（Ｓ２７）。
【００４５】
一方、図６のＳ２４において、選択された曲データがＰＣ１００に記録されていない場合（Ｓ２４でＮＯ）、ＨＤＤレコーダ２００の制御部２１は、当該曲データ「ＡＡＡ」をＨＤＤ２３から読み出して、通信部２４を介してＰＣ１００に送信する（Ｓ２５）。ＨＤＤレコーダ２００ではこの曲データを再生することができないので、ＰＣ１００にＰＣＭ形式に変換し返信してもらうためである。
【００４６】
図７に示すように、ＰＣ１００はコンテンツＩＤ「ＡＡＡ」の曲データを受信すると（Ｓ４５でＹＥＳ）、受信した曲データをデコードし、ＨＤＤレコーダ２００が再生不可能なコンテンツ形式ＣからＰＣＭ形式に変換し、ストリーム形式でＨＤＤレコーダ２００に送信する（Ｓ４７）。図６に示すように、ＨＤＤレコーダ２００の制御部２１は、コンテンツＩＤ「ＡＡＡ」の曲データをＰＣ１００から受信すると、再生制御部２６に受信した曲データを再生させる（Ｓ２７）。
【００４７】
続いて、制御部２１は、選択されたコンテンツＩＤ「ＡＡＡ」の曲データのダウンロード送信要求をＰＣ１００に送信する（Ｓ２８）。ダウンロード送信要求には選択された曲データのコンテンツＩＤ「ＡＡＡ」と、変換後のコンテンツ形式とが含まれている。変換後のコンテンツ形式は、図４の変換テーブルを参照して決定される。例えば、コンテンツＩＤ「ＡＡＡ」の曲データのコンテンツ形式はＣであるので、変換後のコンテンツ形式はＢに決定される。
【００４８】
図７に示すように、ＰＣ１００の制御部１１はダウンロード送信要求を受信したか否かを判断している（Ｓ４８）。受信したとき（Ｓ４８でＹＥＳ）、ＰＣ１００は、ダウンロード送信要求に含まれているコンテンツＩＤ「ＡＡＡ」の曲データをＨＤＤ１３から読み出し、ダウンロード送信要求に含まれている変換後のコンテンツ形式Ｂに変換し、ダウンロード形式で、ＨＤＤレコーダ２００に送信する（Ｓ４９）。
【００４９】
図６に示すように、ＨＤＤレコーダ２００は、ダウンロード形式で、コンテンツＩＤ「ＡＡＡ」の曲データを受信すると、既にＨＤＤ２３に記録されているコンテンツ形式Ｃの曲データを削除して、新たに、受信したコンテンツ形式Ｂの曲データをＨＤＤ２３に記録する（Ｓ２９）。そして、制御部２１は、再生可否テーブルを図８に示すように更新する（Ｓ３０）。すなわち、コンテンツＩＤ「ＡＡＡ」に対応する項目「Can」を「True」に変更し、「Format」を「B」に変更し、「url」を削除する。続いて、制御部２１は、曲リスト内のコンテンツＩＤ「ＡＡＡ」の曲データの表示態様を、グレーアウトから再生可能を示す通常表示に変更する（Ｓ３１）。以上の結果、次回以降に、再生すべき曲データとして、コンテンツＩＤ「ＡＡＡ」の曲データが選択されたときには、Ｓ２２でＹＥＳと判断され、ＨＤＤ２３から曲データが読み出されて再生される。
【００５０】
以上のように、再生するために選択された曲データがＨＤＤレコーダ２００で再生できないコンテンツ形式でＨＤＤ２３に記録されている場合には、ＰＣ１００がＨＤＤレコーダ２００で再生可能なＰＣＭ形式にデコードし、ストリーム形式で曲データを転送するので、ＨＤＤレコーダ２００はストリーム形式で曲データを受信して再生することができる。従って、ＨＤＤレコーダ２００はより迅速に曲データを再生することができる。また、ストリーム形式で曲データが転送された後、ＰＣ１００によって、ＨＤＤレコーダ２００で再生可能なコンテンツ形式に当該曲データが変換され、ダウンロード形式でＨＤＤレコーダ２００に転送されるので、ＨＤＤレコーダ２００は再生可能なコンテンツ形式で当該曲データをＨＤＤ２３に記録することができる。従って、次回以降、当該曲データが選択された場合には、ＨＤＤ２３に記録された曲データが再生させるので、より迅速に再生することができる。
【００５１】
［第２実施形態］
本実施形態では、最初にＰＣ１００からＨＤＤレコーダ２００に曲データをダウンロードして記録する際に、ＨＤＤレコーダ２００が再生不可能な曲データについてはＨＤＤレコーダ２００に記録しない。その結果、曲リストには、ＨＤＤ２３に記録されていない曲データも含まれ、記録されていない曲データはグレイアウト表示されている。
【００５２】
ＨＤＤ２３又はメモリ２２には、再生可否テーブルの代わりに、図９に示す記録有無テーブルが管理されている。記録有無テーブルは、曲リスト内の曲データがＨＤＤ２３に記録されているか否かを示すテーブルである。記録有無テーブルは、コンテンツＩＤ「ID」に対応付けて、記録されているか否かを示す項目「Exist」と、コンテンツ形式「Format」と、当該曲データが記録されていたＰＣ１００の所在に関する情報（例えばＵＲＬ）「url」とを含む。「Exist」には、ＨＤＤ２３に記録されている場合に「TRUE」が、ＨＤＤ２３に記録されていない場合に「FALSE」が登録される。
【００５３】
図１０〜図１２を参照し、本例の動作を説明する。まず、図１０を参照し、ＰＣ１００の曲データをＨＤＤレコーダ２００に転送し、ＨＤＤレコーダ２００に記録する際の処理を説明する。Ｓ１〜Ｓ３，Ｓ１１の処理は図５の処理と同じである。
【００５４】
ここで、ＨＤＤレコーダ２００の制御部２１は、曲リスト内の曲データのうち、ＨＤＤレコーダ２００が再生可能な曲データのみを指定し、ＨＤＤレコーダ２００に転送するようＰＣ１００に曲データ転送要求を送信する（Ｓ５１）。つまり、コンテンツ形式がＡ又はＢの曲データのみをＨＤＤレコーダ２００に転送するようＰＣ１００に要求する。
【００５５】
ＰＣ１００は、曲データ転送要求を受信すると、ＨＤＤ１３から指定された曲データを読み出して、デコード処理や変換処理を実行することなく（つまり、ＨＤＤ１３に記録されているコンテンツ形式のままで）、ダウンロード形式でＨＤＤレコーダ２００に送信する（Ｓ６１）。
【００５６】
ＨＤＤレコーダ２００は、曲データをダウンロード形式でＰＣ１００から受信すると、受信した曲データをＨＤＤ２３に記録する（Ｓ５２）。そして、ＨＤＤレコーダ２００の制御部２１は、図９に示す記録有無テーブルの各項目に、Ｓ１で取得した曲リスト内の曲データに関する各情報を登録する。詳細には、制御部２１は、曲リスト内の曲データのコンテンツＩＤとコンテンツ形式とを記録有無テーブルに登録し、ＰＣ１００から取得してＨＤＤ２３に記録した曲データ（つまり、コンテンツ形式がＨＤＤレコーダ２００で再生可能なＡ，Ｂである場合）には「Exist」に「TRUE」を登録する。一方、ＰＣ１００から未だ取得していない曲データ（つまり、コンテンツ形式がＨＤＤレコーダ２００で再生不可能なＣ，Ｄ，Ｅ，Ｆ，Ｇである場合）には「Exist」に「FALSE」を登録し、かつ、「url」にＰＣ１００のＵＲＬを登録する。
【００５７】
図９では、代表例として、コンテンツＩＤがＡＡＡ〜ＦＦＦの６つの曲データのみを記載している。コンテンツＩＤがＦＦＦの曲データのみがＨＤＤレコーダ２００で再生可能なコンテンツ形式Ａであり、ＰＣ１００から取得済であるので、「Exist」に「True」が登録されている。その他の曲データは全てＨＤＤレコーダ２００で再生不可能なコンテンツ形式であり、ＰＣ１００から未取得であるので、「Exist」に「FALSE」が登録されている。
【００５８】
以上のように、ＨＤＤレコーダ２００で再生不可能なコンテンツ形式の曲データについては、ＰＣ１００からＨＤＤレコーダ２００に転送しないことにより、ＨＤＤレコーダ２００に曲データを転送し、記録し終えるまでの時間を短縮することができる。
【００５９】
次に、ＨＤＤレコーダ２００において、曲データを再生する際の処理を図１１，図１２を参照して説明する。図１１に示すように、ＨＤＤレコーダ２００の制御部２１は、表示部２８に曲リストを表示させ、再生すべき曲データをユーザに選択させる。ユーザ操作によって曲データが選択されると（Ｓ７１）、制御部２１は、選択された曲データをＨＤＤレコーダ２００が記録しているか否かを判断する（Ｓ７２）。詳細には、選択された曲データのコンテンツＩＤを特定し、記録有無テーブルを参照し、当該コンテンツＩＤに対応する項目「Exist」が「TRUE」であるか否かを判断する。
【００６０】
例えば、図９においてコンテンツＩＤがＦＦＦである曲データが選択されたために、項目「Exist」が「TRUE」であり、ＨＤＤ２３に記録されている場合には（Ｓ７２でＹＥＳ）、Ｓ７９に進み、ＨＤＤレコーダ２００は通常通りに、ＨＤＤ２３からコンテンツＩＤ「ＦＦＦ」の曲データを読み出して、曲データを再生する（Ｓ７９）。
【００６１】
例えば、図９においてコンテンツＩＤがＡＡＡの曲データが選択されたために、項目「Exist」が「FALSE」であり、ＨＤＤ２３に記録されていない場合には（Ｓ７２でＮＯ）、再生部２１は、ＰＣ１００に曲データのストリーム送信要求を送信する。このストリーム送信要求には選択された曲データのコンテンツＩＤ「ＡＡＡ」が含まれている。ストリーム送信要求を送信するＰＣの宛先は、選択された曲データに対応するコンテンツＩＤについて記録有無テーブルの「url」を参照することによって特定できる。
【００６２】
図１２に示すように、ＰＣ１００の制御部１１は、ＨＤＤレコーダ２００からストリーム送信要求を受信したか否かを判断しており（Ｓ８１）、受信した場合（Ｓ８１でＹＥＳ）、ストリーム送信要求に含まれるコンテンツＩＤ「ＡＡＡ」で特定される曲データを、ストリーム形式でＨＤＤレコーダ２００に送信するように各部を制御する（Ｓ８２）。すなわち、再生制御部１６は、ＨＤＤ１３からコンテンツＩＤ「ＡＡＡ」の曲データを読み出し、デコードし、コンテンツ形式Ｃから例えばＰＣＭ形式に変換し、通信部１４を介してＨＤＤレコーダ２００にストリーム形式で送信する。
【００６３】
図１１に示すように、ＨＤＤレコーダ２００の制御部２１は、コンテンツＩＤ「ＡＡＡ」の曲データをＰＣ１００からストリーム形式で受信すると、再生制御部２６に受信した曲データを再生させる（Ｓ７４）。
【００６４】
続いて、制御部２１は、選択されたコンテンツＩＤ「ＡＡＡ」の曲データのダウンロード送信要求をＰＣ１００に送信する（Ｓ７５）。ダウンロード送信要求には選択された曲データのコンテンツＩＤ「ＡＡＡ」と、変換後のコンテンツ形式とが含まれている。変換後のコンテンツ形式は、図４の変換テーブルを参照して決定され、コンテンツＩＤ「ＡＡＡ」の曲データのコンテンツ形式はＣであるので、変換後のコンテンツ形式がＢに決定される。
【００６５】
図１２に示すように、ＰＣ１００の制御部１１はダウンロード送信要求を受信したか否かを判断している（Ｓ８３）。受信したとき（Ｓ８３でＹＥＳ）、ＰＣ１００は、ダウンロード送信要求に含まれているコンテンツＩＤ「ＡＡＡ」の曲データをＨＤＤ１３から読み出して、ダウンロード送信要求に含まれている変換後のコンテンツ形式Ｂに変換し、ダウンロード形式で、ＨＤＤレコーダ２００に送信する（Ｓ８４）。
【００６６】
図１１に示すように、ＨＤＤレコーダ２００は、ダウンロード形式で、コンテンツＩＤ「ＡＡＡ」の曲データを受信すると、受信したコンテンツ形式Ｂの曲データ「ＡＡＡ」をＨＤＤ２３に記録する（Ｓ７６）。そして、制御部２１は、記録有無テーブルを図１３に示すように更新する（Ｓ７７）。すなわち、コンテンツＩＤ「ＡＡＡ」に対応する項目「Exist」を「True」に変更し、「Format」を「B」に変更し、「url」を削除する。続いて、制御部２１は、曲リスト内のコンテンツＩＤ「ＡＡＡ」の曲データの表示態様を、グレーアウトから再生可能を示す通常表示に変更する（Ｓ７８）。以上の結果、次回、再生すべき曲データとして、コンテンツＩＤ「ＡＡＡ」の曲データが選択されたときには、Ｓ７２でＹＥＳと判断され、ＨＤＤ２３から曲データが読み出されて再生される。
【００６７】
以上のように、再生するために選択された曲データがＨＤＤレコーダ２００に記録されていない場合には、ＰＣ１００からＨＤＤレコーダ２００で再生可能な例えばＰＣＭ形式にデコードされ、ストリーム形式で曲データが転送されるので、ＨＤＤレコーダ２００はストリーム形式で曲データを受信して再生することができる。従って、迅速に曲データをＨＤＤレコーダ２００に送信することができる。また、ストリーム形式で曲データが転送された後、ＰＣ１００によって、当該曲データがＨＤＤレコーダ２００で再生可能なコンテンツ形式に変換され、ダウンロード形式でＨＤＤレコーダ２００に転送されるので、ＨＤＤレコーダ２００は再生可能なコンテンツ形式の曲データをＨＤＤ２３に記録することができる。
【００６８】
以上、本発明の好ましい実施形態を説明したが、本発明はこれらの実施形態には限定されない。例えば、ＰＣ１００が本発明の第２コンテンツ記録再生装置に対応し、ＨＤＤレコーダ２００が本発明の第１コンテンツ記録再生装置に対応してもよい。また、ＰＣ１００、ＨＤＤレコーダ２００が、共に、第１コンテンツ記録再生装置と第２コンテンツ記録再生装置との両方の機能を備えていてもよい。本発明は、上記のＰＣ１００、ＨＤＤレコーダ２００を動作させるためのコンピュータプログラムまたはそのコンピュータプログラムを記録した記録媒体という形態で提供されてもよい。
【産業上の利用可能性】
【００６９】
本発明はＰＣ、ＨＤＤレコーダ等のオーディオ機器に好適に適用され得る。
【図面の簡単な説明】
【００７０】
【図１】本発明の好ましい実施形態によるコンテンツ記録再生システムを示すブロック図である。
【図２】ＰＣ１００およびＨＤＤレコーダ２００の各々が再生可能なコンテンツ形式の例を示す図である。
【図３】再生可否テーブルを示す図である。
【図４】変換テーブルを示す図である。
【図５】ＰＣ１００からＨＤＤレコーダに曲データを転送する処理を示すフローチャートである。
【図６】再生処理におけるＨＤＤレコーダの動作を示すフローチャートである。
【図７】再生処理におけるＰＣの動作を示すフローチャートである。
【図８】再生可否テーブルを示す図である。
【図９】記録有無テーブルを示す図である。
【図１０】ＰＣ１００からＨＤＤレコーダに曲データを転送する処理を示すフローチャートである。
【図１１】再生処理におけるＨＤＤレコーダの動作を示すフローチャートである。
【図１２】再生処理におけるＰＣの動作を示すフローチャートである。
【図１３】記録有無テーブルを示す図である。
【符号の説明】
【００７１】
１００      第１コンテンツ記録再生装置
２００      第２コンテンツ記録再生装置
【図１】
2009301615.tif 000003
【図２】
2009301615.tif 000004
【図３】
2009301615.tif 000005
【図４】
2009301615.tif 000006
【図５】
2009301615.tif 000007
【図６】
2009301615.tif 000008
【図７】
2009301615.tif 000009
【図８】
2009301615.tif 000010
【図９】
2009301615.tif 000011
【図１０】
2009301615.tif 000012
【図１１】
2009301615.tif 000013
【図１２】
2009301615.tif 000014
【図１３】
2009301615.tif 000015